(57)【要約】   本発明は、容器本体のための、特に金属缶のような容器のための金属蓋に関し、前記蓋（１）は、（ｉ）密封中央パネルを形成し、全体形状が平行四辺形の予め定められた破断線（４）により規定された除去可能部（５）を含み、そして長手方向軸（７’）を有する把持部材（７）を備えた中央部分（３）、および（ｉｉ）全体形状が前記容器本体に固着されるのに適した平行四辺形である周囲部分（２）を備えている。本発明によれば、予め定められた破断線４は、第１横方向セクション（４ｂ１１）を備え、この第１横方向セクション（４ｂ１１）において、下流部分（４ｂ１２）は、把持部材（７）が取り付けられた接合角度部（４ｃ）から間隔を隔てて、その全長さに亘って伸び、それ（９）に正接する線（９）は、把持部材（７）の長手方向軸（７’）に直交する直線（８）と、４５°より大きい角度の外側角度（α）をなしており、この外側角度は、予め定められた破断線（４）を引き裂くためにユーザーが行使する力およびエネルギーの効率を改善するため、前記下流部分（４ｂ１２）の長さに亘って、徐々に大きくされている。【選択図】        図１
2013514241.tif 000002
【特許請求の範囲】
【請求項１】
容器本体のための、特に金属缶タイプの容器のための金属蓋であって、前記蓋（１）は、（ｉ）密封中央パネルを形成する中央部分（３）、および（ｉｉ）容器本体に固着されるようになった周囲部分（２）を備えており、ここで、前記中央部分（３）は、全体形状が平行四辺形の破断線（４）によって境界が定められた除去可能部（５）を備え、前記破断線（４）は、２つの長手方向セクション（４ａ）と２つの横方向セクション（４ｂ）からなり、ここで、蓋（１）の前記除去可能部（５）は、その一方の面において、長手方向軸（７’）が通る２つの部分（７ａ、７ｂ）−前記除去可能部（５）に固着された第１部分（７ａ）および実質上の把持部材である第２部分（７ｂ）からなる把持部材（７）を備えており、ここで、把持部材（７）の第１部分（７ａ）は、第１長手方向セクション（４ａ２）と前記破断線（４）の第１横方向セクション（４ｂ１）の間の接合部に相当する接合角度部（４ｃ）で固着されており、前記破断線（４）の第１長手方向セクション（４ａ２）および第１横方向セクションは、それぞれ、（ｉ）前記接合角度部（４ｃ）に配置され、前記把持部材（７）を初期揺動する動作により引き裂かれるようになっている上流部分（４ａ２１、４ｂ１１）、および（ｉｉ）前記接合角度部（４ｃ）から離れ、前記セクション（４ａ２、４ｂ１）の残部長さにより形成されており、把持部材（７）の連続する動作による引っ張りにより引き裂かれるようになっている下流部分（４ａ２２、４ｂ１２）の２つの部分を備えている金属蓋において、破断線（４）の第１横方向セクション（４ｂ１）の前記下流部分（４ｂ１２）が、該蓋の全長さに沿って延び、この破断線に対する正接線（９）は、把持部材（７）の長手方向軸（７’）に直交する直線（８）と、４５°より大きい角度の外側角度αをなしており、この外側角度αは、破断線（４）の横方向セクション（４ｂ１）の上流部分（４ｂ１１）から始まって、その下流部分（４ｂ１２）の長さに亘って、徐々に大きくされていることを特徴とする金属蓋。
【請求項２】
破断線（４）の第１横方向セクション（４ｂ１）の下流部分（４ｂ１２）は、上流部分（４ｂ１１）側に、長さの一部分を備え、その外側角度αは、４６°と４９°の間である初期値から６７°から６８°内外である最終値まで変化することを特徴とする請求項１の金属蓋。
【請求項３】
破断線（４）の第１横方向セクション（４ｂ１）の下流部分（４ｂ１２）は、ほぼ湾曲した形状であることを特徴とする請求項１または２の金属蓋。
【請求項４】
破断線（４）の第１横方向セクション（４ｂ１）の下流部分（４ｂ１２）は、連続する複数の半径からなることを特徴とする請求項３の金属蓋。
【請求項５】
破断線（４）の第１横方向セクション（４ｂ１）の下流部分（４ｂ１２）は、連続する直線セグメントからなることを特徴とする請求項３の金属蓋。
【請求項６】
蓋（１）の周囲部分（２）は、全体形状が２つの長手方向縁（２ａ）と２つの横方向縁（２ｂ）からなる平行四辺形のものであり、破断線（４）は、蓋の前記周囲部分（２）に沿って延びることを特徴とする請求項１から５のいずれかの金属蓋。
【請求項７】
破断線（４）の第１横方向セクション（４ｂ１）は、破断線（４）の該第１横方向セクション（４ｂ１）および周囲部分（２）の前記第１横方向縁（２ｂ１）の間の間隔（ｄ）が、１と１５ｍｍの間となるように、蓋（１）の周囲部分（２）の第１横方向縁（２ｂ１）の近傍に配置されていることを特徴とする請求項６の金属蓋。
【請求項８】
破断線（４）の第２横方向セクション（４ｂ２）は、湾曲が付けられた形状であることを特徴とする請求項６または７の金属蓋。
【請求項９】
破断線（４）の第２横方向セクション（４ｂ２）は、破断線（４）の第２横方向セクション（４ｂ２）および周囲部分（２）の対向横方向縁（２ｂ２）の間の間隔（ｅ）が、１と１５ｍｍの間となるように、蓋（１）の前記周囲部分（２）の前記第２横方向縁（２ｂ２）の近傍に配置されていることを特徴とする請求項８の金属蓋。
【請求項１０】
請求項１から９のいずれかに記載の金属蓋（１）を備える特に金属缶タイプの容器。
【発明の詳細な説明】
【技術分野】
【０００１】
本発明は、容器、特に缶タイプの金属製容器のための金属製蓋に関するものである。更に詳細には、本発明は、（ｉ）容器本体に対して組み込まれる周囲部分、および（ｉｉ）破断線を切り裂くことによって除去可能な部分を備えた密閉中央パネルを形成する部分を含む一体型蓋に関するものである。
【背景技術】
【０００２】
主として食料の包装のための缶であるいくつかの金属製容器は、オープナーのような道具を使用するのを回避するため、しばしば、容易開放システムを備えた蓋を具備する。
【０００３】
特別興味深い解決策は、除去可能な部分または部位を備えた中央パネルと協働する周囲部を備えた一体型金属製蓋に存する。この目的で、この除去可能部な部分は、一方で、周囲破断線で周囲が定められ、他方で、通常“プルタブ”と呼ばれている把持および引っ張り部材を備えている。
この把持部材は、従来は、それらの長手方向軸に沿って延びる次の２つの部位または領域を備えている：破断線の近傍で、中央パネルの除去可能部に留められた“くちばし状部”を備えた周囲部分、および開放のために引張られる前は、除去可能部の上面に対して平坦なループ状内方部分。
【０００４】
一般に、このような蓋を開放するには、ユーザーは、把持部材に対して、２つの連続しているが別個の操作を行う。
まず、開放の第１初期ステップにおいて、ユーザーは、把持部材（通常、その内方自由部分によって）を把持し、そして把持部材を中央パネルから引き離す。
次いで、把持部材は、レバーを形成し、このレバーのくちばし状周囲端は、“初期破断領域”と呼ばれるその長さの小さな部分を超えての破断線の局部的破断を引き起こす。次いで、パネルの除去可能部は、把持部材の長手方向軸に対して直交する、あるいはおおよそ直交する折曲げ線に沿って部分的に内方に折り曲げられる。
開放の第２ステップにおいて、ユーザーは、破断線の引き裂きを連続させ、そして除去可能部を蓋から分離するため、把持部材に引っ張り力を与える。
【０００５】
したがって、把持部材は、ユーザーによって加えられた力、および発生されたエネルギーの中央パネルの除去可能部に向けての伝達を確保し、これによって周囲の破断線に沿っての金属の引き裂きを保証する。
開放の容易さは、この破断線の破断に必要な力およびエネルギーのレベルによって規定される。
そして、開放における力およびエネルギーの低減されたレベルが、このような缶を取り扱うユーザーにとって重要なことは、周知のことである。
把持および引っ張り部材を備えるいくつかの蓋は、今、なお現在、開放のために比較的大きなレベルの力およびエネルギーが必要である。
このような現象は、ユーザーによって与えられた引っ張り力および引っ張りエネルギーの効率の悪い伝達からもたらされるものであろう。
【０００６】
これは、特に、全体形状が平行四辺形（上方からみて、丸みが付けられた隅部を備えた正方形、長方形）の破断線を備える蓋の場合であり、前記破断線は、蓋の最適でかつ最高の開放を保証するために組み立てる周囲部に続く直線状セクションからなる。
この破断線は、特に引っ張りおよび引き裂きのステップを始めるにあたって、比較的高いレベルの力とエネルギーを必要とすると思われる。
【０００７】
米国特許公開２００６／００００４２９８２号明細書は、ダイアモンド形状に配置された４つの直線状セクションからなる破断線を備えた金属製蓋を備えている容器について記載している。この破断線の角度部の一つにプルタブが備えられている。
この容器は、開放時における作動力の確実な減少を提案するが、包装された製品に対しての更なる最適なアクセスは必要としないことを目的とするものである。
【先行技術文献】
【特許文献】
【０００８】
【特許文献１】米国特許公開２００６／００００４２９８２号明細書
【０００９】
従って、従来の容器においては、破断線の直線状の第１横方向セクションは、（ｉ）包装された製品への減少されたアクセスを除く、開放時における作動力の減少、および（ｉｉ）開放時における比較的大きな作動力による包装された製品への最適なアクセスの間の選択をなすことを強制する。
【００１０】
従って、このタイプの蓋のために、包装された商品への容易なアクセスを維持する最大の開放度合いを維持する一方で、開放時に必要な力およびエネルギーのレベルを減じる（開放の良好な感覚）という必要性が存在する。
【発明の概要】
【発明が解決しようとする課題】
【００１１】
従って、本発明は、この必要性を満たすという目的を有している。
従って、本発明の課題は、（ｉ）密封中央パネルを形成する中央部分、および（ｉｉ）容器本体に固着されるようになった周囲部分を備えている金属製蓋に関し、ここで、前記中央部分は、平行四辺形の概略形状の破断線によって境界が定められた除去可能部を備え、前記破断線は、２つの長手方向セクションと２つの横方向セクションからなり、ここで、前記除去可能部は、その一方の面において、長手方向軸が通る２つの部分または領域（前記除去可能部に固着された第１部分および実質上の把持部材である第２部分）からなる把持部材を備えており、ここで、把持部材の第１部分は、前記破断線の第１長手方向セクションと第１横方向セクションの間の接合部に相当する接合角度部で固着されており、破断線の前記第１長手方向セクションおよび第１横方向セクションは、それぞれ、（ｉ）前記接合角度部に配置され、前記把持部材を初期揺動する動作により引き裂かれるようになっている上流部分、および（ｉｉ）前記接合角度部から離れ、前記セクションの残部長さにより形成されており、把持部材の連続する動作による引っ張りにより引き裂かれるようになっている下流部分の２つの部分を備えている。
【００１２】
本発明によれば、この特別な蓋は、破断線の第１横方向セクションの下流部分が、該蓋の全長さに沿って延び、この破断線に正接する線は、把持部材の長手方向軸に直交する直線と、少なくとも初期において、４５°より大きい角度、好ましくは４６°と４９°の間の角度の外側角度αをなしていることによって特徴付けられるものである。さらに、この外側角度αは、破断線の横方向セクションの上流部分から始まって、その下流部分の長さに亘って、徐々に大きくされていることが有利である。
【００１３】
この破断線のパターンは、包装された商品への幅広いアクセスを維持しつつ（開放後に、アクセスの困難な領域および／または残された蓋材料の下に隠れた領域が無い）、破断線への作用力およびエネルギーの最も効率の良い伝達を通じて、開放時（特に、タブの引っ張りによる開放の第２ステップの始まりにおいて）に必要な力およびエネルギーのレベルを極めて低くすることを、本件出願人は強調する。
【００１４】
特別な実施形態によれば、破断線の第１横方向セクションの下流部分は、上流部分側に、有利には、形状がほぼ円のアーク形である長さの一部分を備え、その外側角度αは、４６°と４９°の間である初期値から６７°から６８°内外である最終値まで徐々に、または少なくともほぼ徐々に変化する。
【００１５】
本発明の他の特徴によれば、破断線の第１横方向セクションの下流部分は、ほぼ湾曲した形状であり、この場合、この下流部分は、連続する複数の半径および／または複数の直線セグメントからなることが有利である。
【００１６】
特別な実施形態によれば、蓋の周囲部分はまた、全体形状が２つの長手方向縁と２つの横方向縁からなる平行四辺形のものであり、前記破断線は、蓋のこの周囲部分に沿って延びる。
【００１７】
この枠組みの中で、
−破断線の第１横方向セクションは、破断線の該第１横方向セクションおよび周囲部分の前記第１横方向縁の間の間隔が、１と１５ｍｍの間、好ましくは１と１０ｍｍの間となるように、蓋の周囲部分の第１横方向縁の近傍に配置されていることが有利であり、
−破断線の第２横方向セクションはまた、金属蓋の除去可能部と残りの部分の間の最終的な分離のために必要な力およびエネルギーのレベルを減じるのに、特にスプリング効果を減じるのに適合した湾曲が付けられた形状であることが有利であり、この場合、この破断線の第２横方向セクションは、円のアークの形状の線、連続する半径、または複数の直線セグメント、またはこれらのエレメントの組み合わせから構成されていることが有利であり、さらに、この場合、破断線の第２横方向セクションは、破断線の第２横方向縁および周囲部分の前記対向第２横方向縁の間の間隔が、１と１５ｍｍの間、好ましくは１と１０ｍｍの間となるように、蓋の周囲部分の該第２横方向縁の近傍に配置されていることが有利である。
本発明は、さらに容器に関し、特に上記したような金属蓋を備える金属缶タイプの容器に関する。
【図面の簡単な説明】
【００１８】
本発明は、添付図面を参照して、いかなる限定もされることなく、特定の実施形態の以下の説明により説明される：
【図１】本発明による、把持部材を備えた一体型蓋の全体平面図である。
【図２】把持部材の一側部（簡単のため図示せず）における図１の蓋の一部拡大図である。
【発明を実施するための形態】
【００１９】
図１に示された蓋１は、丸みが付けられた隅部を備え、全体形状が平行四辺形の金属製容器本体（図示せず）の上縁に組み込むことが意図されたものである。
この蓋１、および協働する金属製容器本体は、全体形状が平行６面体の缶（しばしば“ｃｌｕｂ  ｃａｎ（クラブ  カン）”と呼ばれる）を形成するように意図される。
【００２０】
容器本体１は、通常、ベルト状の側壁（全体的には、正方形または長方形の水平断面の）からなり、該側壁の下縁は底部要素に続いている。
この蓋１と容器本体の間の接続は、当業者により選択される、例えば圧着技術である組立技術の手段により達成される。
【００２１】
本発明による蓋１は、有利にはエンボス技術により、アルミニウム、鋼等の金属シートから形成された一体型金属部品からなる。
この蓋１は、上方から見て、平行四辺形の全体形状（この場合、丸みが付けられた隅部を備えたほぼ長方形である）である。
【００２２】
当業者によく知られているように、それは、全体がほぼ平行四辺形の２つのパーツからなる：
（ｉ）容器本体の締め付けのための組立リングを形成する周囲部２、および
（ｉｉ）該周囲部２で囲まれ、密閉中央パネルを形成する中央部３。
【００２３】
全体的に長方形の周囲リング２は、２つの対向する横方向縁２ｂ１および２ｂ２により連結された２つの対向する長手方向縁２ａ１および２ａ２を備えている。
このリング２は、有利には、容器本体に圧着されるビードを備えている。
【００２４】
密閉中央パネル３はまた、周囲リング２の長手方向縁２ａに平行な方向に向けられた長手方向対称軸３’を有する全体的に長方形形状をしている。
この密封パネル３は、“切り込み線”とも呼ばれる破断線４を備えており、この破断線４は、把持部材７を備えた中央部５を線引きする。
後述するように、この中央部５は、破断線４の裂け目により除去されることができる除去可能部あるいは部分を構成する。
【００２５】
破断線４（以下、簡単のため、“切り込み線”と称する）はまた、上から見て、全体的に長方形形状をしている。
切り込み線４は、蓋の形成の際の、適宜な道具使いの実施により得られる材料の薄化により形成される。
【００２６】
切り込み線４は、ここに閉じられ、換言すると、切り込み線４は、除去可能部５の全周囲に亘って延び、あるいは、一部のみであってもよい。
この場合、この切り込み線４は、周囲リング２に近傍でこれに沿って延び、また、この切り込み線４は、この場合では、対向する２つの長手方向セクション４ａ１および４ａ２（リング２の長手方向縁２ａ１および２ａ２に沿って配置されている）を備えており、これらの長手方向セクション４ａ１および４ａ２は、それらの端部において、２つの横方向セクション４ｂ１および４ｂ２により（リング２の２つの横方向縁２ｂ１および２ｂ２側において）連結されている。
【００２７】
対向する２つの長手方向セクション４ａ１および４ａ２は、ここでは直線状である。対向する２つの横方向セクション４ｂ１および４ｂ２は、それぞれ、後述するように、蓋の開放時において必要な力およびエネルギーのレベルを改善するため、全体的に湾曲された形状を有している。
【００２８】
除去可能部５は、その上面に把持部材７を備えており、ユーザーによる該把持部材７の操作は、蓋１の容易な開放を許容する（すなわち、切り込み線４を破断することにより蓋１を残しつつ、除去可能部５を完全にか、あるいは部分的に取り除く）。
【００２９】
後に詳細に説明するように、把持部材７のこの操作は、従来、以下の２つのステップを備えている：
−把持部材７を手で回転させ／傾斜させることにより切り込み線４を破断する最初の第１ステップ、および
−この部材７を手で引っ張ることにより、続けて破断線４の引き裂きを行うステップ。
把持部材７は、“プルタブ”として当業者に知られている。
【００３０】
ここでは、プルタブ７は、模式的な方法で示した。プルタブ７は、ここでは、前記破断線４の第１横方向セクション４ｂ１および第１長手方向セクション４ａ２の間の接合部により形成された切り込み線４の接合角度部４ｃにおいて留められている。
この接合角度部４ｃは、プルタブ７の最初の回転中に現れる、切り込み線４の最初の破断領域または引き裂き領域を形成する
【００３１】
このプルタブ７は、初期破断領域４ｃの二等分線と同軸の方向に向けられた長手方向軸７’に沿って配置された２つの部分あるいは領域を備えている、すなわち：
（ｉ）切り込み線４に近接し、除去可能部５に留められたくちばし状部（図示せず）を備えた周囲部分７ａ、および
（ｉｉ）除去可能部５の上面に対して原型的にはフラットな把持ループの形の内方部分７ｂ。
【００３２】
このプルタブ７の配置、および蓋のオープニング時における該プルタブ７の最初の回転を考慮すると、切り込み線４の第１横方向セクション４ｂ１および第１長手方向セクション４ａ２は、次いで、それぞれ次の２つの部分を備えている：
（ｉ）把持部材７を回転するための最初の操作により破断するようになっている上流部分４ｂ１１および４ａ２１（これらの２つの部分４ｂ１１および４ａ２１は、次いで、両者で、切り込み線４の初期破断領域４ｃを規定する）、および
（ｉｉ）初期破断部４ｃに連続し、２つの相当するセクション４ｂ１および４ａ２の残留長さ部を構成し、把持部材７を引っ張るステップにより破断するようになっている下流部分４ｂ１２および４ａ２２。
【００３３】
ここでは、図１において符号８により示された線により、一方で、これらの上流部分４ｂ１１および４ａ２１に、他方で、下流部分４ｂ１２および４ａ２２に分けられている。
後に説明するように、この分離線８は、把持部材７の長手方向軸７’に直交して延び、把持部材７の最初の回転の後に、少なくともほぼ除去可能部５の折曲げ線に該当する。
【００３４】
本発明によれば、引っ張りステップの初期のために必要な力およびエネルギーのレベルを改善するため、切り込み線４の第１横方向セクション４ｂ１の下流部分４ｂ１２は、その全長さに亘って、それらの正接線９（図１には、それらの正接線のうち１本のみを例として示した）が把持部材７の長手方向軸７’に直交する分離線８に対して４５°より大きな外側角度αをなすよう形成されている。
【００３５】
ここで使用されている“外側角度α”は、正確には、一方では、切り込み線４の第１横方向セクション４ｂ１の下流部分４ｂ１２に対する正接線９、および他方では、除去可能部５の外側に配置された直交線８のセグメント８ａの間で、図１において規定された時計方向廻り角度を意味する。
【００３６】
この場合、第１横方向セクション４ｂ１のこの下流部分４ｂ１２はまた、外側角度αが第１横方向セクション４ｂ１の上流部分４ｂ１１から前記協働する第２長手方向セクション４ａ１に向かって大きくなるように配置されている。
この外側角度αは、それでも好ましくは、４６°と９０°の間であることが有利である。
第１横方向セクション４ｂ１のこの下流部分４ｂ１２は、形状において湾曲が付けられていることが有利である。
【００３７】
図示された実施形態によれば、第１横方向セクション４ｂ１のこの下流部分４ｂ１２は、次の２つの部分に分割されていてもよい：
−全体形状が上流部分４ｂ１１側において楕円のアークの形状であるか、円形のアークの形状であり、その外側角度αが４６°と４９°の間の初期値から６７°〜６８°内外の最終値に徐々に、または少なくともほぼ徐々に変化する第１部分、および
−全体形状が円のアークの形状である、第２長手方向セクション４ａ１との接合のための第２部分。
第１部分の半径は、第２部分の半径より極めて大きい。
【００３８】
従って、第１横方向セクション４ｂ１の下流部分４ｂ１２は、内側突状湾曲（内側に連続して向かう湾曲）を有していることが有利である。
この特別な場合では、楕円のアークの形の第１部分は、第１横方向セクション４ｂ１の長さの約２／３〜３／４に相当する。
円のアークの形状の第２部分は、前記第１横方向セクション４ｂ１の残りの長さ、すなわち第１横方向セクション４ｂ１の長さの約１／３〜１／４を構成する。
【００３９】
第１横方向セクション４ｂ１の下流部分４ｂ１２は、それでも好ましくは、いくつかの半径からなっている。
例えば、この下流部分４ｂ１２は、ここでは、１５ｍｍおよび１００ｍｍの半径からなる。
前記第１横方向セクション４ｂ１の上流部分４ｂ１１は、連続する下流部分４ｂ１２側において配置されたその端部における角度αをすでに形成している。
【００４０】
言い換えれば、第１横方向セクション４ｂ１の下流部分４ｂ１２に対する正接線９および把持部材７の長手方向軸７’により規定される角度は、４５°以下に維持される（前記角度は図１および図２において反時計廻りである）。
【００４１】
図２に示された更に他の参照形態によれば、第１横方向セクション４ｂ１の下流部分４ｂ１２に対する正接線９および把持部材の長手方向軸７’に対して４５°の角度で延びる直線１０（ここでは、リング２の対向する横方向縁２ｂ１に再び沿って延びる）により規定される角度γは、０°以上である（この角度γは図２では時計廻りである）。
【００４２】
この場合、単なる例として、この角度γは、図２において３ｍｍごとに２つずつ間隔を置いて、それぞれ１．５°、３°、６°、９°、１１°、１４°、１６°、２２°、３１°、４２°内外である連続する角度γ１からγ１０によって示されている。したがって、この角度γは、第２長手方向セクション４ａ１において９０°内外の値まで大きくなる。
【００４３】
代替として、下流部分４ｂ１２は、直線状セグメントの連続、あるいは湾曲線セグメントと直線状セグメントの組み合わせから構成することができる。
例えば、これらのセグメントは、それぞれ５ｍｍ内外の長さを有する。
【００４４】
更に、切り込み線４の第１横方向セクション４ｂ１は、該第１横方向セクション４ｂ１および組立リング２の対向する横方向縁２ｂ１の間の間隔ｄが、１と１５ｍｍの間、好ましくは１と１０ｍｍの間となるようにこのリング２の近傍に配置されている。
より正確には、この“間隔ｄ”は、一方では、第１横方向セクション４ｂ１の下流部分４ｂ１２に対する正接線９に直交して延びる直線セグメントの長さに相当し、他方では、この下流部分４ｂ１２によって、およびリング２の対向する横方向縁２ｂ１によって境界が定められている。
【００４５】
この場合、この間隔は、第１横方向セクション４ｂ１の下流部分４ｂ１２に沿って、０．６から２ｍｍ内外の間隔から、１５ｍｍ内外の最大間隔、好ましくは５と１０ｍｍの間の間隔まで徐々に大きくなる。
【００４６】
この間隔ｄは、蓋１の最大開放の保持を可能とし、そして除去可能部５が取り外された後の残留材料の片の長さを制限する。
したがって、最適な妥協は、商品の表現と開放の容易さの間に得られる。
【００４７】
他方で、第１長手方向セクション４ａ２の下流部分４ａ２２は、ここに、把持部材７の長手方向軸７’に直交する上述の線８とともに４５°内外の外側角度βを規定する。
ここで使用される“外側角度β”は、更に正確には、一方で、切り込み線４の第１長手方向セクション４ａ２の下流部分４ａ２２、他方で、切り込み線４の外側に配置された分離線８のセグメント８ｂの間で図１に規定された反時計廻りの角度を意味する。
【００４８】
初期の破断領域４ｃを構成する上流部分４ｂ１１および４ａ２１は、互いに対して９０°内外の角度をなして延び、そしてそれらの上流部分４ｂ１１および４ａ２１は、円のアークの形をした湾曲した連結部分により連結されている。
更に、第２横方向セクション４ｂ２はまた、全体的に湾曲が付けられた形状である（ここでは、全体形状が円のアークの形状である）。
代替として、この第２横方向セクション４ｂ２は、連続する半径、または複数の直線セグメントから構成されてもよい。
【００４９】
ここで再び、この第２横方向セクション４ｂ２は、リング２の対向する第２横方向縁２ｂ２の近傍に配置されており、２つのセクション４ｂ２および２ｂ２の間の間隔ｅは、１と１５ｍｍの間、好ましくは１と１０ｍｍの間であることが有利である。
ここで再び、この特別な間隔は、蓋１の除去可能部５が取り外された後に残る中央パネル３の材料の片のサイズを制限することが可能である。
【００５０】
実施においては、プルタブ７は、切り込み線４を、初期破断領域４ｃ（把持部材７に隣接する）から前記プルタブ７の対向側において配置された末端領域または下流領域まで切り裂くため、除去可能部５に引っ張り力を及ぼすことを、ユーザーに許容する。ここでは、この末端領域は、切り込み線４の第２横方向セクション４ｂ２に相当する。
【００５１】
通常、プルタブ７の操作は、蓋１の開放のための２つの異なったステップにより実行される。
破断を始める第１ステップにおいて、ユーザーは、除去可能部５から把持部材７を引き離すため、その自由端７ｂを把持する。
次いで、把持部材は、ユーザーにより回転させられるレバーを形成し、これは、一方で、その初期破断領域４ｃにおける切り込み線４の局部的な破断を引き起こし、他方では、分離線８（把持部材７の長手方向軸７’に直交して延びる）に沿う除去可能パネル５の一部の局部的な内向きの折曲げを引き起こす。
【００５２】
この第１ステップ中、第１横方向セクション４ｂ１の上流部分４ｂ１１および切り込み線４の第１長手方向セクション４ａ２の上流部分４ａ２１は切り裂かれる。
除去可能部５の分離は、切り込み線４の切り込みを連続させるため、ユーザーが把持部材７上で引っ張りを行使する第２ステップにより続けられる。
この引っ張りの間、プルタブ７は、全引っ張り線の少なくとも全長さおよびこの全引っ張り線の対向側に亘って進む。
この引っ張り線は、中央パネル３上への投影体に相当する破線１１により図１に示されており、この引っ張り線１１は、切り込み線４の初期破断領域４ｃと第２横方向セクション４ｂ２の間に延びる。
【００５３】
この場合、この引っ張り線１１は、その長さに亘って延びる次の２つの部分を備えている、すなわち：
−切り込み線４の初期破断領域４ｃの側部に配置され、そして把持部材７の長手方向軸７’と同軸か、少なくとも実質的に同軸な方向に向かう近接部分１１ａ、および
−切り込み線４の末端領域４ｂ２の側部に配置され、そして中央パネル３の中心線３’ と同軸か、少なくとも実質的に同軸な方向に向かう末端部分１１ｂ。
ここで、引っ張り線１１のこれらの２つの部分１１ａおよび１１ｂは、切り込み線４に対して角度が付けられたプルタブ７の配置により、互いに対して角度をなしている。それらは、全体が円のアークの形の接続部分１１ｃにより接続されており、プルタブ７は、近接部分１１ａから末端部分１１ｂまで徐々に進んでいる。
【００５４】
したがって、第２切り裂きステップ中、この引っ張りは、引っ張り線１１の近接部分１１ａに相当する把持部材７の長手方向軸７’に沿って方向付けられた方向においてユーザーにより始められる。
この引っ張りステップ中、ユーザーにより与えられる切り込み線４の破断の開始のための引っ張り力および引っ張りエネルギーの効率は、第１横方向セクション４ｂ１の下流部分４ｂ１２の特別な形状の結果、通常の蓋に比べて十分に改良されている。
【００５５】
それでも、この第２ステップ中は、把持部材７上の引っ張りは、切り込み線４の第２横方向セクション４ｂ２へ向けての破断のため、引っ張り線１１の末端部分１１ｂに沿って従来の方法で続けられる。
把持部材７上における引っ張りは、切り込み線４を第２横方向セクション４ｂ２方向へ切り込むため、従来の方法で、引っ張り線１１の末端線１１ｂに沿い続けられる。
切り込み線４の第２横方向セクション４ｂ２の最後の破断は、引っ張り力および引っ張りエネルギーを有効に最適状態にすることを目的とするその特別な湾曲形状により促進される。
【００５６】
この特別な構造は、除去可能部５において時々観られるスプリング効果を制限することが可能である。
表示の目的で、図１に示されたような蓋でのテストでは、蓋の完全な開放のためには、２１．８Ｎの総力と１．１２Ｊのエネルギーを適用する必要があることを示し、一方、従来の破断線を備えた蓋は、その完全な開放のためには、３２．４Ｎの力と１．４１Ｊのエネルギーが必要である。
【００５７】
一般に、蓋１の組立リング２は、容器本体の断面形状を受け入れるものであるなら上記したようにいかなる他の形状も取り得る（例えば、楕円、円、多角形状）。
本発明による蓋は、最大の開放表面を維持するとともに、良好な開放の感覚および改善された再生値の提供を目的とする。
【符号の説明】
【００５８】
１  蓋
２  周囲部分
３  中央部分
４  破断線（切り込み線）
５  除去可能部
７  把持部材
８  線
１０  直線
【図１】
2013514241.tif 000003
【図２】
2013514241.tif 000004
【国際調査報告】
2013514241.tif 000005
2013514241.tif 000006
2013514241.tif 000007
2013514241.tif 000008
2013514241.tif 000009
2013514241.tif 000010